(57)【特許請求の範囲】
【請求項１】
容器（１０、５０、８０、１１０、１３０）の開放端を閉鎖するための端部クロージュア（１８、６４、８８、１２０、１４０）であって、該端部クロージュアは、枠部材（２６、６６、９０、１２２、１４４）及び端部パネルを備え、該枠部材は連続する縁部内側梁部と、自由縁で終止する縁部外側輪郭部とを有し、前記内側梁部は、パックした製品のための通路を提供するための開口を前記枠部材中に規定し、前記端部パネルは、前記開口を閉鎖するために前記内側梁部に固定される周辺外側縁部を有し、前記外側輪郭部分は、軸方向上方且つ内方に折り曲げられており、前記端部クロージュアを容器本体に固定するための取付け手段の一部を形成し、前記端部クロージュアは、外方に指向する巻締めフランジによって部分的に規定される開放端を有する容器本体と組み合わせて使用するものであり、前記端部クロージュアは前記巻締めフランジに受理され、前記巻締めフランジと前記縁部外側輪郭部とを一緒に、半径方向内方に折り曲げ、前記端部クロージュアを前記容器本体に封止関係において固定する巻締めを形成する、端部クロージュア。
【請求項２】
該巻締めが、前記端部パネルの半径方向外方の前記縁部内側梁部上に載置されるカールの形態である、請求項１に記載の端部クロージュア。
【請求項３】
前記枠部材がプラスチック製であり、前記巻締めフランジが金属製であり、前記枠部材と前記巻締めフランジとが互いに接着され、前記巻締めフランジが未処理縁を有し、該未処理縁を前記枠部材内に埋入する、請求項１に記載の端部クロージュア。
【請求項４】
前記巻締めフランジが未処理縁を有し、該未処理縁を前記枠部材内に埋入する、請求項１に記載の端部クロージュア。
【発明の詳細な説明】
本発明は、概略的には容器のための端部クロージュアの新規且つ有用な改良に関し、より詳細には、剥離可能な端部パネルを担持する環状枠部材を備える端部クロージュアに関する。
発明の背景
慣用の二重巻締操作によって、金属製端部クロージュアを金属又はプラスチック製容器に二重巻締めすることは、よく知られている。このような二重巻締め部は、端部クロージュア材が容器の縁部を巻き込むように、半径方向外方に折り返されている。
発明の要旨
本発明によれば、容器の開放端部に、半径方向外方に向けた支持フランジを設け、さらにこの支持フランジ上に、軸方向に延長する巻締めフランジを設け、反対方向の巻締め処理を行う。これにより、容器の巻締めフランジと端部クロージュアの縁部輪郭部つまりフランジとの巻締めにより、縁部輪郭部を容器に固定して、剥離可能な端部パネルを担持する枠部材を有する端部クロージュアを支持フランジ上に載置することができる。
半径方向内方に指向する巻締めは、支持フランジに重なる態様で平坦に折り畳んだ一重巻締め又は二重巻締めのいずれの形態であってもよく、若しくは容器の閉鎖フランジ部分の形状に沿った下面を有する成形枠部材の形態であつてもよい。枠部材は好ましくは、成形プラスチック材料で作成し、本発明の少くとも一つの実施態様では、枠部材は、打ち抜き又はスタンピングされた金属、紙、又はプラスチックコーティングされた紙で作成してもよい。
従って、要するに本発明は、反対方向の巻締め、つまり反対方向の二重巻締め、つまり反対方向のカールを使用して、プラスチック製又はプラスチックと金属の複合端部クロージュアを、金属製缶つまり容器に固定する、従来技術とは反対のアプローチを教示する。金属製缶の巻締めフランジが十分に重ければ、プラスチック製のふたを金属製缶に逆巻締め、つまり逆二重巻締めすることができる。一方、缶若しくはトレー等の容器のフランジが比較的薄ければ、反対方向の、つまり内方に形成したカールがより適切であろう。
さらに、内方にカールつまり巻締めした後、カール及び包囲されたプラスチックの加熱及び冷却の間、カールは端部クロージュアを容器上の所定位置に保持するので、端部クロージュアの枠部分のプラスチックを加熱して、容器に軸方向の圧力をかけることなく、カール部の金属に溶着することができる。この特徴により、これまで可能であった厚さよりも薄い壁を有する容器を使用することが可能となり、一体性を強化したシールを提供することができる。
端部クロージュアは、好ましくは二つの部分、つまり部品からなる。その一つは、プラスチック、金属、又はコーティングされた紙のシートを、成形、スタンピング、若しくは打ち抜きしたもの等の強固つまり重い材料で形成された環状枠部材であり、これは缶又は容器に永久的に固定することを意図したものである。もう一つの部品は、缶を開けて容器の内容物にアクセスするために、枠部分から剥離除去することを意図した剥離可能な部材である。この剥離可能部材、つまり端部パネルは、プラスチックシート、紙、金属フォイル等の、コーティングされたもの又はされていないもの、若しくはプラスチックコーティングしたアルミニウムラミネート等の積層体等の種々の材料で作成し、熱、接着剤、又は適当な溶剤で、若しくは枠部分を形成して除去可能な端部パネルに接着するための射出成形操作の間に、枠部分に取り付ける剥離可能な層の形態とすることができる。適当な形式及び構造の剥離可能な端部パネルを有する端部クロージュアは、米国コネチカット州、ノーウォークのポリスター・パッケージング，インコーポレイテッドの米国特許第５，０８５，３３９号及び同第５，１２５，５２８号に記載される。
以下に本願発明の実施の態様を列挙する。
１．容器（１０、５０、８０、１１０、１３０）の開放端を閉鎖するための端部クロージュア（１８、６４、８８、１２０、１４０）であって、該端部クロージュアは、枠部材（２６、６６、９０、１２２、１４４）及び端部パネルを備え、該枠部材は連続する縁部内側梁部と、自由縁で終止する縁部外側輪郭部とを有し、前記内側梁部は、パックした製品のための通路を提供するための開口を前記枠部材中に規定し、前記端部パネルは、前記開口を閉鎖するために前記内側梁部に固定される周辺外側縁部を有し、前記外側輪郭部分は、上方且つ内方に折り曲げ可能であり、前記端部クロージュアを容器本体に固定するための取付け手段の一部を形成する、端部クロージュア。
２．前記内側梁部が、前記端部クロージュアを容器に対して支持し、且つ固定するための載置表面を形成する、上記１に記載の端部クロージュア。
３．前記端部クロージュアが、外方に指向して巻締めフランジで終止する支持フランジを含む容器の開放端と共に使用するように特に適合されており、前記端部クロージュアは前記支持フランジ上に載置してもよく、前記外側輪郭部と前記巻締めフランジとは互いに取付けてもよい、上記１に記載の端部クロージュア。
４．前記枠部材の前記内側梁部が、前記縁部輪郭部の自由縁と反対方向に面した下面を有し、該下面が、取付けの際容器に対する前記端部クロージュアの支持表面を形成する、上記１に記載の端部クロージュア。
５．前記枠部材が、角度付き部材の断面形状を有する、上記１に記載の端部クロージュア。
６．前記枠部材が角度付き部材の断面形状を有し、前記内側梁部が、厚壁であり、意図された容器の端部に適合する形状とした下面を有する、上記１に記載の端部クロージュア。
７．前記枠部材がプラスチック製である、上記１に記載の端部クロージュア。
８．外方に指向する巻締めフランジによって部分的に規定される開放端を有する容器本体と、
容器本体の該開放端を閉鎖するための端部クロージュアとを備え、
該端部クロージュアは、枠部材及び端部パネルを備え、該枠部材は連続する縁部内側梁部と、自由縁で終止する縁部外側輪郭部とを有し、前記内側梁部は、パックした製品のための通路を提供するための開口を前記枠部材中に規定し、前記端部パネルは、前記開口を閉鎖するために前記内側梁部に固定される周辺外側縁部を有し、前記外側輪郭部分は、上方且つ内方に折り曲げ可能であり、前記端部クロージュアを容器本体に固定するための取付け手段の一部を形成し、
該端部クロージュアは前記巻締めフランジに受理され、前記巻締めフランジと前記縁部外側輪郭部とを一緒に、半径方向内方に折り曲げ、前記端部クロージュアを前記容器本体に封止関係において固定する巻締めを形成する、端部クロージュア付き容器。
９．前記巻締めフランジを、まず前記縁部外側輪郭部の前記自由縁上に半径方向内方に逆に折り曲げ、次いで前記巻締めフランジと前記縁部外側輪郭部とを一緒に、前記縁部内側梁部に重なる関係で折り曲げる、上記８に記載の端部クロージュア付き容器。
10．前記巻締めフランジを、まず前記縁部外側輪郭部の前記自由縁上に半径方向内方に逆に折り曲げ、次いで折り曲げた前記巻締めフランジと前記縁部外側輪郭部とを一緒に、前記端部パネルの半径方向外方の前記縁部内側梁部に重なる関係で折り曲げる、上記８に記載の端部クロージュア付き容器。
11．前記巻締めがカールの形態である、上記８に記載の端部クロージュア付き容器。
12．前記巻締めが、前記縁部内側梁部上に載置されるカールの形態である、上記８に記載の端部クロージュア付き容器。
13．前記巻締めが、前記端部パネルの半径方向外方の前記縁部内側梁部上に載置されるカールの形態である、上記８に記載の端部クロージュア付き容器。
14．前記容器が本体を含み、該本体が、半径方向外方に指向する支持フランジを有し、前記巻締めフランジが、前記容器の外側縁部を形成する、上記８に記載の端部クロージュア付き容器。
15．前記支持フランジが、第一の内側折り曲げ部によって前記本体に接続され、前記巻締めフランジが、第二の外側折り曲げ部によって前記支持フランジに接続される、上記８に記載の端部クロージュア付き容器。
16．前記折り曲げ部が鋭利な折り曲げ部であり、前記端部クロージュアを受理するために、前記巻締めフランジが上方且つ外方にテーパーする、上記１５に記載の組合せ。
17．前記折り曲げ部が滑らかに湾曲する折り曲げ部であり、前記内側梁部が、厚壁であり、前記滑らかに湾曲する折り曲げ部を含む前記支持フランジの上面と適合する形状とした下面を有する、上記１５に記載の端部クロージュア付き容器。
18．前記内側梁部が、前記本体の内側表面との連続部を形成する内側縁表面を有する、上記１７に記載の端部クロージュア付き容器。
19．前記軸方向に指向するフランジの厚さが、少くとも約６ミルである、上記８に記載の端部クロージュア付き容器。
20．前記軸方向に指向するフランジの厚さが、約６ミル以下である、上記８に記載の端部クロージュア付き容器。
21．前記枠部材がプラスチック製であり、前記巻締めフランジが金属製であり、前記枠部材と前記巻締めフランジとを互いに接着する、上記８に記載の端部クロージュア付き容器。
22．前記枠部材と前記巻締めフランジとを、熱を適用することにより互いに接着する、上記２１に記載の端部クロージュア付き容器。
23．前記枠部材と前記巻締めフランジとを、カールの形態で互いに固定する、上記２１に記載の端部クロージュア付き容器。
24．前記枠部材と前記巻締めフランジとを、カールの形態で互いに固定し、熱を適用することにより互いに接着する、上記２１に記載の端部クロージュア付き容器。
25．前記巻締めフランジが未処理縁を有し、該未処理縁を前記枠部材内に埋入する、上記２１に記載の端部クロージュア付き容器。
26．前記巻締めフランジが未処理縁を有し、該未処理縁を前記枠部材内に埋入する、上記８に記載の端部クロージュア付き容器。
27．プラスチック製端部クロージュア部材を金属製容器に固定する方法であって、該方法は、
略半径方向外方に延長し、巻締めフランジで終止する支持フランジを含む金属製容器を提供する工程と、
少なくとも熱可塑性材料を含む周縁部を有する端部クロージュアを提供する工程と、
前記端部クロージュアを前記支持フランジ上に載置する工程と、
前記巻締めフランジを半径方向内方に折り曲げ、前記周縁部を前記支持フランジと前記巻締めフランジとの間に捕らえる工程とを含む、プラスチック製端部クロージュア部材を金属製容器に固定する方法。
28．前記支持フランジ及び前記巻締めフランジを前記周縁部に接着させるために、前記熱可塑性材料に熱を適用する工程を含む、上記２７に記載の方法。
29．前記巻締めフランジ及び前記端部クロージュアの前記周縁部をカールさせる工程を含む、上記２８に記載の方法。
30．前記巻締めフランジが、未処理縁で終止し、該未処理縁を前記周縁部に埋入する、上記２７に記載の方法。
【図面の簡単な説明】
図１は、本発明に従って封止するための端部クロージュアを所定位置に配置した容器の縦断面図であり、種々の部品を区別するために間隔をもって図示している。
図２は、端部クロージュアを容器の開放端内の所定位置に配置し、容器の巻締めフランジを一部折り曲げた状態で、端部クロージュア及び容器の形状を最も詳細に示す、破断断面拡大図である。
図３は、図２と同様の断面図であるが、巻締め操作の第一段階として、容器の巻締めフランジを、端部クロージュアの縁部輪郭部の上方外側端の周囲に折り曲げた状態で示す。
図４は、図２と同様のさらに別の断面図であり、縁部輪郭部及び容器巻締めフランジを、枠部材の縁部内側梁部に重なるようにさらに折り曲げた巻締め操作の完了を示す。
図５は、図１に示した破断断面図であり、複数の層を有する代表的な端部パネル構造を示す。
図６は、容器形状の変更例及び端部クロージュアの変更例の縦断面図であり、端部クロージュアを容器に固定するカール操作のための容器の支持フランジ上所定位置に、端部クロージュアを載置した状態を示す。
図７は、図６と同様の断面図であり、半径方向内方に向けたカールによって容器に固定した端部クロージュアを示す。
図８は、本発明の別の実施態様の破断断面図であり、容器の閉鎖のために、容器の支持フランジ上に載置した端部クロージュアを示す。
図９は、図８と同様の断面図であり、半径方向内方に折り曲げた巻締めフランジによって容器に固定した端部クロージュアを示す。
図１０は、本発明のさらに別の実施態様の破断断面図であり、容器の閉鎖のために、容器の支持フランジ上に載置した端部クロージュアを示し、容器の巻締めフランジは、鋭利に折り曲げた未処理縁部を含む。
図１１は、図１０と同様の断面図であり、巻締めフランジの未処理縁部を錆びから保護するため、及び／又は鋭利な縁部のない滑らかなクロージュアを作成するために、未処理縁部を端部クロージュア材内に埋込むように容器に固定した端部クロージュアを示す。
図１２は、端部クロージュア及び容器を、端部クロージュアが閉鎖操作の間に組立てられた状態で示す破断断面図であり、容器は、僅かに外方に傾斜つまりテーパーした直立巻締めフランジを有する。
図１３は、図１２と同様の破断断面図であり、閉鎖工具の台部分上に載置した、容器の支持フランジ上に載置した端部クロージュアを示す。
図１４は、図１２及び図１３と同様の破断断面図であり、容器を閉鎖し、巻締め形成するように内方に折り曲げた、容器の巻締めフランジ及び端部クロージュアの縁部輪郭部を示し、容器の自由縁部は端部クロージュア材内に埋入している。
詳細な説明
図面を詳細に参照するが、まず図１から図４に示す実施態様を説明する。これらの図には、一般的には直立本体１４及び底部１６を備える缶１２の形態である容器１０を示す。缶１２は、まずパックすべき製品を受理し、次いで参照番号１８で一般的に示される端部クロージュアによって閉鎖される、開放上端部を有する。缶１２の開放端部は参照番号２０で一般的に示され、縁部内側梁部、つまり支持フランジ２２を備える。この支持フランジ２２は、軸方向指向外側フランジ、つまり巻締めフランジ２４を担持する。
図２に最もよく示されるように、端部クロージュア１８は、参照番号２６で一般的に示される枠部材を含み、この枠部材は剥離可能なパネル２８を担持する。枠部材２６は、連続する縁部内側梁部３０と、縁部外側直立輪郭部３２とを備える。梁部３０の内側縁部は開口３４を規定し、容器１０にパックされた製品は、この開口３４を通して容易に分配することができる。この開口は、梁部３０と剥離可能に接着されるパネル２８によって、通常は閉鎖されている。
ここで、図５に示すように、パネル２８は好ましくは、互いに適宜接着された内側プラスチック層３６と外側金属フォイル層３８とを含む積層構造であることを指摘しておく。
また、枠部材２６を、プラスチック材料で、射出成型等の方法で作成してもよく、ここにパネル２８をインサート射出成型操作によって剥離可能に接着してもよいことが理解される。しかしながら、本発明はこれらに限定されるものではない。パネル２８を単層構造とし、プラスチック若しくは金属フォイルのいずれかで形成し、枠部材２６を射出成型することによって、若しくは適宜剥離可能な接着剤（図示せず）によって、枠部材２６に適宜接着することもできる。
また、枠部材を金属シートから形抜きし、ここにパネル２８を慣用の方法で剥離可能に接着することもできる。
容器１０を詳細に説明してきたが、本発明の実施によれば、缶の壁厚、特に巻締めフランジ２４の壁厚は、６ミル以上となることが理解される。一方、容器１０は、金属フォイル等で形成した厚さ６ミル未満の籠（図示せず）の形態であってもよい。
図２〜図４から明らかであるように、巻締めフランジ２４は、図２及び図３に示すようにそれ自体で、さらに図４に示すように輪郭部３２と共に折り曲げることができるような厚さ及び可撓性である必要がある。結果として形成された巻締めは、参照番号４０で一般的に示され、二段階の巻締め工程を含むので、広義には「二重巻締め」ということができる。しかしながら、巻締め４０は、巻締めつまり折り曲げ工程が半径方向内方に、巻締めフランジ２４の内部に向けられるという点で、慣用の二重巻締めとは異なる。一方、巻締め４０は、慣用の二重巻締めと略同様の方法で一連のチャックアンドカム（図示せず）を行うことによって、自動的に形成することができる。図４に最もよく示されるように、梁部３０の下面と支持フランジ２２との間に、内側折り曲げ部４４から外側折り曲げ部４６まで延長する細長いシールが形成される。同様に、輪郭部３２と巻締めフランジ２４との間にも細長いシールが形成される。
パネル２８を枠部材２６から容易に剥離するために、好ましくは剥離可能なパネル２８には、図１に示すような適当なプルタブ４２を設けることが理解される。
また、開放された容器１０を端部クロージュア１８で閉鎖することによって、使用者が切り傷を負う可能性のある未処理の縁部が無くなることが理解される。
本発明の第二の実施態様を図６及び図７に示す。これらの図において、容器は参照番号５０で一般的に示され、参照番号５４で一般的に示される成形された頂部を有する側壁上方部５２を含む。頂部５４は、内側カーブつまり折り曲げ部５８と外側カーブつまり折り曲げ部６２との間に延長し、その外縁部で巻締めフランジ６０を形成して終止する支持フランジ５６を含む。
容器５０の壁部分５２は、上方且つ外方に延長するように示される。しかしながら、壁部分は、図１に示すように、缶１２の本体１４と同様に軸方向に延長してもよいことが理解される。また、容器５０は他の形状でもよく、トレーとして当業界で知られる形状であってもよい。
容器５０は、参照番号６４で一般的に示される端部クロージュアで閉鎖封止される。端部クロージュア６４は、連続する縁部内側梁部６８と縁部外側直立輪郭部７０とを有する枠部材６６を含むことが理解される。さらに、図７に最もよく示されるように、輪郭部７０は、カール式巻締め７２によって、巻締めフランジ６０に巻締めされる。完全な封止を確実とすることが必要又は望ましい場合には、カール７２に熱を適用する。熱の適用工程は、巻締めつまりカール操作の間に行ってもよく、その後、例えば封止された容器の内容物を処理するためのレトルト操作の間等に行ってもよい。
ここで、このような巻締めは、容器とクロージュア１８とを組合せて組み込むことができるはずであることが理解される。しかしながら、図６及び図７に示す実施態様においては、枠部材６６は、枠部材２６と同様に略一定の壁厚とするのではなく、明らかに成形された構造であり、縁部梁部６８は、カーブ５８及び６２の部分を含む支持フランジ５６の上面つまり外面と一致する形状の下面７４を有する。これにより、最初の組立ての際に、容器５０上に枠部材６６を良好に載置することができるだけでなく、カールした巻締め部７２によって形成されるシールに加えて第二の細長いシールを提供することができる。
さらに、縁部内側梁部６８は内側縁面７６を有し、容器５０から容易に製品を分配することができるように、この内側縁面７６は本体５２の内面と連続する面を形成してもよいことに留意すべきである。
端部クロージュア６４はさらに、端部パネル７８を含み、このパネル７８は、剥離可能なパネル２８について説明した態様で、縁部内側梁部６８の上面に剥離可能に載置する。パネル７８は、図５に示すような積層構造であっても、先に説明したパネル２８のように単一の厚さのパネル構造体であってもよい。
図８及び図９を参照して、壁部分８２と、外方に延長する支持フランジ８４と、巻締めフランジ８６とを含む、参照番号８０で一般的に示される容器からなる本発明のさらに別の実施態様を説明する。参照番号８８で一般的に示される端部クロージュアは、環状枠部材９０と、軸方向外方で枠部材９０に封止且つ剥離可能に重なる剥離可能な端部パネルとを含む。
図９に示すように、巻締めフランジ８６は、枠部材９０を固定するように半径方向内方に折り曲げられ、枠部材９０は、巻締めフランジ８６と支持フランジ８４との間で封止関係において容器８０を閉鎖する。枠部材９０に対して端部パネル８８を上方且つ外方に剥離することによって、容器８０を開放するために、好ましくは端部パネル８８には、図１に示したプルタブ４２等のプルタブを設けることが理解される。図８及び図９に示す実施態様の好ましい形態においては、支持フランジ８４及び巻締めフランジ８６を含む容器８０は、金属製である。巻締め操作中、若しくはその後の別途工程において、フランジ８４及び８６の金属を通して巻締めに熱を適用して、枠部材９０のプラスチックとの間に溶着した接合点を形成し、密封シールを形成することができる。
本発明のさらに別の実施態様を図１０及び図１１に示す。これらの図において、参照番号１１０で一般的に示される容器は、管状壁部分１１２と、外方に延長する支持フランジ１１４と、内方に鋭利に折り曲げた未処理縁部１１８を有する巻締めフランジ１１６とを含む。参照番号１２０で一般的に示される端部クロージュアは、環状枠部材１２２と、軸方向外方で枠部材１２２に封止且つ剥離可能に重なる剥離可能な端部パネル１２４とを含む。巻締めフランジ１１６は、図１０のカーブした矢印で示されるように、内方且つ下方に折り畳まれ、つまり折り曲げられ、端部クロージュア１２０の環状枠部材１２２をつかむ。図１１に最もよく示されるように、縁部１１８は、枠部材１２２の材料内に埋入され、それにより縁部を錆びから保護し、及び／又は端部クロージュア１２０を容器１１０に接続するための滑らかな巻締めを提供する。図８及び図９の実施態様と同様に、その形成中又はその後に巻締めに熱を適用してもよいことが理解される。巻締め操作の間、巻締め工具（図示せず）は熱くてもよく、若しくは高周波加熱若しくは誘導加熱を用いて金属製容器を加熱してもよく、枠部材１２２のプラスチック材料を軟化させて、図１１に最もよく示されるように縁部を埋入させ、また、巻締めの一体性を高めるために、枠部材１２２、支持フランジ１１４、及び巻締めフランジ１１６の間に溶着された接合面を形成することができる。
本発明のさらに別の実施態様を図１２、図１３、及び図１４に示す。これらの図において、参照番号１３０で一般的に示される容器は、管状側壁１３２と、外方に延長する支持フランジ１３４と、巻締めフランジ１３６とを含み、巻締めフランジ１３６は、外方且つ上方に延長して縁部１３８で終止するように示され、参照番号１４０で一般的に示される端部クロージュアを受理するための約５又は６度のテーパーした食付き部を提供し、端部クロージュア１４０は、その頂部に剥離可能に固定された端部パネル１４４を有する環状枠部材１４２を含む。容器１３０は、閉鎖工具の台部分１４６上に載置した状態で示す。図１３に最もよく示されるように、巻締めフランジ１３６を半径方向内方且つ下方に折り畳み、つまり折り曲げて、端部クロージュア１４０と容器１３０とを相互ロックし、容器縁部１３８を端部クロージュア１４０材内に埋入する巻締め工程に付随する態様で、枠部材１４２は、容器の対応個所に従って形成された下面１４８及び直立巻締め部１４９を有する。前述したと同様の態様で、最終的な巻締めの一体性を高めるための溶着した接合面を形成するために、熱を利用してもよいことが理解される。
本発明の好ましい実施態様を特にいくつか図示及び説明してきたが、添付請求項に規定された発明の精神及び範囲から逸脱することなく、端部クロージュア構造及びこれを容器に対して封止する態様を多少変更してもよいことが理解される。
【図１】
0003707560.tif 000002
【図２】
0003707560.tif 000003
【図３】
0003707560.tif 000004
【図４】
0003707560.tif 000005
【図５】
0003707560.tif 000006
【図６】
0003707560.tif 000007
【図７】
0003707560.tif 000008
【図８】
0003707560.tif 000009
【図９】
0003707560.tif 000010
【図１０】
0003707560.tif 000011
【図１１】
0003707560.tif 000012
【図１２】
0003707560.tif 000013
【図１３】
0003707560.tif 000014
【図１４】
0003707560.tif 000015